(57)【要約】【課題】頻繁に接続先の外部端末装置を変わる場合でも簡単に接続できるようにすること。【解決手段】一つ以上のサービスを有し、通信ネットワークに接続することが可能な情報端末装置としてのデジタルカメラ１０は、上記サービス毎にユニークなＵＵＩＤを生成し関連付けるＵＵＩＤ発生部４８と、上記通信ネットワークに接続された外部端末装置としてのキオスク端末１２と接続する無線ＬＡＮモジュール４２と、上記キオスク端末１２に対して接続が許可されているサービスのＵＵＩＤ及び当該サービスに関連するサービス情報を上記キオスク端末１２に送信するＵＵＩＤ転送部５０と、を備える。【選択図】図１
2008085393.tif 000002
【特許請求の範囲】
【請求項１】
一つ以上のサービスを有し、通信ネットワークに接続することが可能な情報端末装置において、
上記サービス毎にユニークなＵＵＩＤを生成し関連付けるＵＵＩＤ付与手段と、
上記通信ネットワークに接続された外部端末装置と接続する接続手段と、
上記外部端末装置に対して接続が許可されているサービスのＵＵＩＤ及び当該サービスに関連するサービス情報を上記外部端末装置に送信するサービス情報送信手段と、
を具備することを特徴とする情報端末装置。
【請求項２】
上記接続手段は、上記通信ネットワークに接続された所定の外部端末装置への接続問い合わせ信号を送信する接続問い合わせ信号送信手段を有し、
上記サービス情報送信手段は、上記接続問い合わせ信号を送信するときに同時に上記サービス情報を上記外部端末装置に送信することを特徴とする請求項１に記載の情報端末装置。
【請求項３】
一つ以上のサービスを有し、通信ネットワークに接続することが可能な情報端末装置において、
上記通信ネットワークに接続された所定の外部端末装置への接続問い合わせ信号を送信する接続問い合わせ信号送信手段と、
上記接続問い合わせ信号に応答して上記外部端末装置から送信されるサービス問い合わせ信号を受信するサービス問い合わせ信号受信手段と、
上記サービス問い合わせ信号に応答し、上記外部端末装置に対して使用が許可されているサービスへの接続を許可する情報を上記外部端末装置に送信する接続許可信号送信手段と、
上記サービス毎にユニークなＵＵＩＤを生成し関連付けるＵＵＩＤ付与手段と、
上記ＵＵＩＤを含む上記サービスに関連するサービス情報を上記外部端末装置に送信するサービス情報送信装置と、
を具備することを特徴とする情報端末装置。
【請求項４】
上記サービスを利用するために上記外部端末装置内で生成されるユニークな外部端末ＵＵＩＤと、上記外部端末の接続アドレス情報と、を取得する外部端末情報取得手段と、
上記外部端末ＵＵＩＤと上記外部端末の接続アドレス情報とを記憶する外部端末情報記憶手段と、
を更に具備することを特徴とする請求項１乃至３の何れかに記載の情報端末装置。
【請求項５】
上記サービスは、該情報端末装置と上記外部端末装置との間でコンテンツデータの転送を行うコンテンツデータ転送サービスであり、
上記サービスは、コンテンツデータ転送のときに、転送されるコンテンツデータに上記ＵＵＩＤを付加してデータを転送することを特徴とする請求項１乃至３の何れかに記載の情報端末装置。
【請求項６】
上記ＵＵＩＤを送信及び／または受信したときに、該情報端末装置の所定のサービスの利用可能状態を検出するサービス利用可能状態検出手段と、
上記所定のサービスの利用可能状態を示す視覚的な表示を行う、及び／または告知音を発生する告知手段と、
を更に具備することを特徴とする請求項１、２、３、及び５の何れかに記載の情報端末装置。
【請求項７】
上記サービス利用可能状態検出手段は、上記外部端末装置が該情報端末装置の所定のサービスを利用可能状態であるか否かを検出し、
上記告知手段は、上記外部端末装置が上記所定のサービスを利用可能であることを検出した場合には、上記外部端末装置が上記所定のサービスを利用可能であることを示す表示を行う、及び／または告知音を発生することを特徴とする請求項６に記載の情報端末装置。
【請求項８】
上記サービス利用可能状態検出手段は、該情報端末装置と上記外部端末装置との間でのコンテンツデータの転送状態を検出し、
上記告知手段は、該情報端末装置と上記外部端末装置との間でコンテンツデータが転送中であった場合には、コンテンツデータが転送中であることを示す表示を行う、及び／または告知音を発生することを特徴とする請求項６に記載の情報端末装置。
【請求項９】
上記サービス利用可能状態検出手段は、上記外部端末装置との間で上記所定のサービスを利用可能な状態であるか否かを検出し、
上記告知手段は、上記外部端末装置との間で上記所定のサービスを利用不能な状態である場合には、上記外部端末装置との間で上記所定のサービスを利用不能な状態であることを示す表示を行う、及び／または告知音を発生させることを特徴とする請求項６に記載の情報端末装置。
【請求項１０】
当該情報端末装置に記憶されているコンテンツデータの中から、所定の条件で選択されたコンテンツデータのみ上記外部端末装置へ転送するコンテンツデータ転送制御手段を更に具備することを特徴とする請求項５に記載の情報端末装置。
【請求項１１】
上記コンテンツデータは、画像データであり、
該情報端末装置は、
該情報端末装置に記憶されている画像データのサムネイルデータを上記外部端末装置に送信するサムネイルデータ送信手段と、
上記サムネイルデータの送信に応答して上記外部端末装置において生成される、該情報端末装置から上記外部端末装置に転送される画像データの選択情報を上記外部端末装置から受信する受信手段と、
を更に具備し、
上記コンテンツデータ転送制御手段は、上記選択情報で選択された画像データのみ上記外部端末装置、あるいは上記通信ネットワーク上にあり、コンテンツデータの保管が可能なコンテンツ保管サーバへ転送することを特徴とする請求項１０に記載の情報端末装置。
【請求項１２】
該情報端末装置の所定のサービスの利用可能状態を検出するサービス利用可能状態検出手段を更に具備し、
上記コンテンツデータ転送制御手段は、上記外部端末装置が上記所定のサービスを利用可能であることを検出した場合には、自動的にコンテンツデータの転送を行うことを特徴とする請求項１０に記載の情報端末装置。
【請求項１３】
上記外部端末装置に接続したときに、ユーザの指示に応答して広告データを表示させる広告データ表示手段と、
上記広告表示後、所定のデータを取得する取得手段と、
を更に具備することを特徴とする請求項１乃至３の何れかに記載の情報端末装置。
【請求項１４】
通信ネットワークを介して外部端末装置と接続することが可能な情報端末装置において、
上記通信ネットワーク上の外部端末装置と接続する接続手段と、
上記外部端末装置と該情報端末装置との間で利用可能なサービス毎にユニークなＵＵＩＤを生成し関連付けするＵＵＩＤ付与手段と、
上記サービスのうち、所定のサービスを利用するために上記外部端末装置にデータを送信するときには、上記所定のサービスに付与されているＵＵＩＤとともにデータを送信する送信手段と、
を具備することを特徴とする情報端末装置。
【請求項１５】
通信ネットワークを介して接続可能なサーバ機能を有する情報端末装置とクライアント端末装置を含む情報処理システムにおいて、
上記情報端末装置は、
サービス毎にユニークなＵＵＩＤを生成し関連付けるＵＵＩＤ付与手段と、
上記通信ネットワークに接続されたクライアント端末装置と接続する第１の接続手段と、
上記クライアント端末装置に対して接続が許可されているサービスのＵＵＩＤ及び当該サービスに関連するサービス情報を上記クライアント端末装置に送信するサービス情報送信手段と、
を具備し、
上記クライアント端末装置は、
上記情報端末装置と接続する第２の接続手段と、
上記情報端末装置が接続を許可しているサービスのＵＵＩＤ及び当該サービスに関連するサービス情報を取得するサービス情報取得手段と、
上記取得したＵＵＩＤを記憶するサービス情報記憶手段と、
上記サービス情報取得手段において取得されたＵＵＩＤが、上記サービス情報記憶手段に既に記憶されていた場合には、既存サービスとして上記サービスに接続し、上記サービス手段において取得されたＵＵＩＤが上記サービス情報記憶手段に記憶されていなかった場合には、新規サービスとして上記サービスに接続するサービス接続手段と、
を具備することを特徴とする情報処理システム。
【請求項１６】
コンピュータを請求項１４に記載の情報端末装置として機能させるための情報処理プログラムであって、
上記情報処理プログラムは、コンピュータを、請求項１４に記載の接続手段、ＵＵＩＤ付与手段、及び送信手段として機能させることを特徴とする情報処理プログラム。
【発明の詳細な説明】
【技術分野】
【０００１】
本発明は、一つ以上のサービスを有し、通信ネットワークに接続することが可能なサーバ機能を有する情報端末装置、及びそのような情報端末装置とクライアント端末装置を含む情報処理システムに関する。
【背景技術】
【０００２】
従来、デジタルカメラにおいて、無線接続してパーソナルコンピュータ（以下、ＰＣと略記する）に画像データを送信する場合、送信先であるＰＣのメールアドレスを利用して、転送する方法が考えられていた。しかし、この方法では、デジタルカメラの構造が複雑になり、装置の小型化あるいは軽量化を図ることができないという問題があった。
【０００３】
構造を複雑にすることなく、撮影した画像データを電子メールに添付してＰＣに送信できるようにするために、特許文献１では、コンピュータネットワークとの接続情報及び電子メールのアドレス情報を設定するための構造化文書をクライアント（ＰＣ）の要求に応じて送信し、その後、そのクライアントから接続情報及びアドレス情報とその設定要求を受信して、接続情報やアドレスの設定を行うという方法が採られている。
【特許文献１】特開２００１−３６７９１号公報
【発明の開示】
【発明が解決しようとする課題】
【０００４】
しかしながら、上記特許文献１に開示されているような方法では、クライアント側でデジタルカメラからの構造化文書に対する接続情報及びアドレス情報を入力する等しなければならず、頻繁に接続先（相手）を変える場合に、簡単に接続先を切り替えて接続することができない。
【０００５】
本発明は、上記の点に鑑みてなされたもので、頻繁に接続先の外部端末装置を変わる場合でも簡単に接続先を切り替えて接続できる情報端末装置及び情報処理システムを提供することを目的とする。
【課題を解決するための手段】
【０００６】
本発明の情報端末装置の第１の態様は、一つ以上のサービスを有し、通信ネットワークに接続することが可能な情報端末装置において、
上記サービス毎にユニークなＵＵＩＤを生成し関連付けるＵＵＩＤ付与手段と、
上記通信ネットワークに接続された外部端末装置と接続する接続手段と、
上記外部端末装置に対して接続が許可されているサービスのＵＵＩＤ及び当該サービスに関連するサービス情報を上記外部端末装置に送信するサービス情報送信手段と、
を具備することを特徴とする。
【０００７】
また、本発明の情報端末装置の第２の態様は、一つ以上のサービスを有し、通信ネットワークに接続することが可能な情報端末装置において、
上記通信ネットワークに接続された所定の外部端末装置への接続問い合わせ信号を送信する接続問い合わせ信号送信手段と、
上記接続問い合わせ信号に応答して上記外部端末装置から送信されるサービス問い合わせ信号を受信するサービス問い合わせ信号受信手段と、
上記サービス問い合わせ信号に応答し、上記外部端末装置に対して使用が許可されているサービスへの接続を許可する情報を上記外部端末装置に送信する接続許可信号送信手段と、
上記サービス毎にユニークなＵＵＩＤを生成し関連付けるＵＵＩＤ付与手段と、
上記ＵＵＩＤを含む上記サービスに関連するサービス情報を上記外部端末装置に送信するサービス情報送信装置と、
を具備することを特徴とする。
【０００８】
また、本発明の情報端末装置の第３の態様は、通信ネットワークを介して外部端末装置と接続することが可能な情報端末装置において、
上記通信ネットワーク上の外部端末装置と接続する接続手段と、
上記外部端末装置と該情報端末装置との間で利用可能なサービス毎にユニークなＵＵＩＤを生成し関連付けするＵＵＩＤ付与手段と、
上記サービスのうち、所定のサービスを利用するために上記外部端末装置にデータを送信するときには、上記所定のサービスに付与されているＵＵＩＤとともにデータを送信する送信手段と、
を具備することを特徴とする。
【０００９】
本発明の情報処理システムの一態様は、通信ネットワークを介して接続可能なサーバ機能を有する情報端末装置とクライアント端末装置を含む情報処理システムにおいて、
上記情報端末装置は、
サービス毎にユニークなＵＵＩＤを生成し関連付けるＵＵＩＤ付与手段と、
上記通信ネットワークに接続されたクライアント端末装置と接続する第１の接続手段と、
上記クライアント端末装置に対して接続が許可されているサービスのＵＵＩＤ及び当該サービスに関連するサービス情報を上記クライアント端末装置に送信するサービス情報送信手段と、
を具備し、
上記クライアント端末装置は、
上記情報端末装置と接続する第２の接続手段と、
上記情報端末装置が接続を許可しているサービスのＵＵＩＤ及び当該サービスに関連するサービス情報を取得するサービス情報取得手段と、
上記取得したＵＵＩＤを記憶するサービス情報記憶手段と、
上記サービス情報取得手段において取得されたＵＵＩＤが、上記サービス情報記憶手段に既に記憶されていた場合には、既存サービスとして上記サービスに接続し、上記サービス手段において取得されたＵＵＩＤが上記サービス情報記憶手段に記憶されていなかった場合には、新規サービスとして上記サービスに接続するサービス接続手段と、
を具備することを特徴とする情報処理システム。
【００１０】
本発明の情報処理プログラムの一態様は、コンピュータを上記情報端末装置の第３の態様として機能させるための情報処理プログラムであって、
上記情報処理プログラムは、コンピュータを、上記情報端末装置の第３の態様における接続手段、ＵＵＩＤ付与手段、及び送信手段として機能させることを特徴とする。
【発明の効果】
【００１１】
本発明によれば、頻繁に接続先の外部端末装置を変わる場合でも簡単に接続先を切り替えて接続できる情報端末装置、情報処理システム及び情報処理プログラムを提供することができる。
【発明を実施するための最良の形態】
【００１２】
以下、本発明を実施するための最良の形態を図面を参照して説明する。
【００１３】
［第１実施形態］
図１（Ａ）は、本発明の第１実施形態に係る情報処理システムの構成を示す図である。この情報処理システムは、本発明の第１実施形態に係る情報端末装置としてのデジタルカメラ１０と、該デジタルカメラ１０が接続される外部端末装置としてのキオスク端末１２と、該キオスク端末１２が接続される管理サーバ１４と、から構成される。
【００１４】
デジタルカメラ１０は、無線通信機能と写真画像を記録する記憶媒体が内蔵されている。キオスク端末１２は、上記デジタルカメラ１０と無線により接続するための無線通信機能と、上記デジタルカメラ１０の記憶媒体に記録された写真画像を表示して、ネットワーク経由で他の管理サーバ１４に各種情報を問い合わせる機能とを備えた機器である。このキオスク端末１２は、各地の店舗等に設置されるものであるが、図１（Ａ）では、図面の簡略化のために代表して一つのみを示している。管理サーバ１４は、課金管理、コンテンツ管理、写真画像の一時保管管理、写真の印刷などの機能を備え、上記ネットワークを介してキオスク端末１２によって制御される機器である。
【００１５】
図１（Ｂ）は、上記デジタルカメラ１０の構成を示す図である。このデジタルカメラ１０は、カメラ機能部１６、情報端末部１８、アンテナ２０、記憶媒体２２、デジタル／アナログ変換機２４、スピーカ２６、及びＬＡＮコネクタ２８からなる。
【００１６】
カメラ機能部１６は、撮影レンズや撮像素子等を含む撮像モジュール３０と、該撮像モジュール３０で得られた画像信号に対してガンマ補正やホワイトバランス等の信号処理を施したり、圧縮処理等を行う画像エンジンＬＳＩ３２と、を含む。
【００１７】
情報端末部１８は、ＣＰＵやメモリから構成されるサービス（アプリケーション）実行部３４と、該サービス実行部３４に接続された操作部３６、ＬＥＤ３８、ＩｒＤＡ４０、無線ＬＡＮモジュール４２、及び表示機ＬＣＤ４４とからなる。
【００１８】
ここで、サービス実行部３４は、一つ以上のサービス（アプリケーション）を実行すると共に、情報端末部１８の各種機能を制御するものである。なお、このサービス実行部３４は、ＣＰＵ内、あるいは外部不揮発性メモリ等に格納されている情報処理プログラムをＣＰＵで順次処理していくことで、情報端末部１８が有する各種機能を実現するように構成されている。また、このサービス実行部３４は、ＵＵＩＤ発生部４８及びＵＵＩＤ発生部４８、転送部５０及び利用可能状態検出部５２を備えている。ＵＵＩＤ発生部４８は、ＩＥＴＦ（Ｉｎｔｅｒｎｅｔ  Ｅｎｇｉｎｅｅｒｉｎｇ  Ｔａｓｋ  Ｆｏｒｃｅ）により技術仕様公開されているＲＦＣ（Ｒｅｑｕｅｓｔ  Ｆｏｒ  Ｃｏｍｍｅｎｔ）４１１２記載のＵＵＩＤ（Ｕｎｉｖｅｒｓａｌｌｙ  Ｕｎｉｑｕｅ  ＩＤｅｎｔｉｆｉｅｒ）を、上記サービス毎に生成し関連付けるものである。ＵＵＩＤ転送部５０は、そのＵＵＩＤ発生部４８で生成関連付けたＵＵＩＤを無線ＬＡＮモジュール４２により外部に転送するものである。利用可能状態検出部５２は、後述するキオスク端末１２との間で送受信されるイベント情報をもとに、キオスク端末１２との間で所定のサービスが利用可能状態にあるか否かを検出する。
【００１９】
操作部３６は、シャッタ釦や十字釦等のユーザが操作する部材である。ＬＥＤ３８は、ユーザに当該デジタルカメラ１０の状態を告知するための発光部である。ＩｒＤＡ４０は、赤外線により外部に情報を発信するための赤外光の発光部である。無線ＬＡＮモジュール４２は、アンテナ２０を使用してキオスク端末１２と無線通信を行うものである。表示機ＬＣＤ４４は、上記カメラ機能部１６で撮像した写真画像を表示したり、操作部３６の操作に応じてメニューや各種情報を表示するものである。
【００２０】
記憶媒体２２は、上記カメラ機能部１６で撮像した写真画像を保存するためのメモリカード等であり、該デジタルカメラ１０に内蔵して取り外しができないものであっても良いし、該デジタルカメラ１０に対して着脱自在なものであっても構わない。
【００２１】
デジタル／アナログ変換機２４は、サービス実行部３４で発生した、ユーザに当該デジタルカメラ１０の状態を告知するためのメッセージをアナログの音声信号に変換して、スピーカ２６によって発声するためのものである。
【００２２】
そして、ＬＡＮコネクタ２８は、ケーブルによりインターネットに有線接続するためのものである。
【００２３】
次に、このような構成の情報処理システムの動作を説明する。
【００２４】
デジタルカメラ１０とキオスク端末１２とで無線ＬＡＮを経由して通信を開始するにあたり、通信の初期設定を確立するのに必要な設定をデジタルカメラ１０及び／又はキオスク端末１２側にしておく。これにより、デジタルカメラ１０からのキオスク端末１２との通信を起動することが可能になり、通信開始のキオスク端末１２側の処理量を低減することができる。
【００２５】
従来、デジタルカメラ１０とキオスク端末１２とをＵＳＢ（Ｕｎｉｖｅｒｓａｌ  Ｓｅｒｉａｌ  Ｂｕｓ）ケーブルで接続し、ネットワークの設定情報を交換して初期設定を簡単に登録し、その後、デジタルカメラ１０の電源を起動させ、通信をするといったことが行われている。無線通信の場合には、デジタルカメラ１０側からキオスク端末１２と通信を開始して、キオスク端末１２側で既存の通信手順を起動させると、少ない環境の変更で、初期設定を行うことができる。より具体的には、無線で接続したときに、無線通信プロトコル内にＵＳＢで設定したようにデジタルカメラ１０の存在を示すシーケンスを実施する。即ち、初期設定が完了したデジタルカメラ１０とキオスク端末１２間の通信において、無線ＬＡＮの送受信ができる状態のとき（デジタルカメラ１０の電源がＯＮされて、初期化が終わり、通信準備ができた状態を指す）に、このシーケンスを実施する。
【００２６】
ＩＥＥＥ８０２．１１シーケンスでは、無線ＬＡＮにおけるネットワーク識別子の一つとしてＳＳＩＤ（Ｓｅｒｖｉｃｅ  Ｓｅｔ  ＩＤｅｎｔｉｆｉｅｒ）を利用している。ＳＳＩＤは所謂ネットワーク名としての役割を果たす。
【００２７】
インフラストラクチャモードのネットワーク構成の場合、基本となる一つのアクセスポイントと、その配下の複数の無線ＬＡＮ端末で構成されるネットワークをＢＳＳ（Ｂａｓｉｃ  Ｓｅｒｖｉｃｅ  Ｓｅｔ）と呼ぶが、その際に使用する識別子をＢＳＳＩＤと呼ぶ。また、複数のＢＳＳで構成されるネットワークのことをＥＳＳと呼び、その際に使用される識別子をＥＳＳＩＤ（Ｅｘｔｅｎｄｅｄ  ＳＳＩＤ）と呼ぶ（本明細書では、特に記述がない場合、ＳＳＩＤはこのＥＳＳＩＤを指しているものとする）。ＳＳＩＤの設定は、意図しないネットワークに繋がらないようにするため、又は繋ぐ端末あるいは機器を識別するためのものである。つまり、アクセスポイントと無線ＬＡＮ端末は同じＳＳＩＤを設定しないと接続が不可能になる。この機能を使ってある程度使用者を制限することができるが、アクセスポイントはビーコンと呼ばれるパケットデータを周期的に配信している。このビーコンパケットの中には、無線ＬＡＮ端末が接続に必要なアクセスポイントのＳＳＩＤ名が含まれているので、この電波が届く範囲の無線ＬＡＮ端末にアクセスポイントの存在を知らせている。また、一部の設定ユーティリティソフトを使用することで、ＳＳＩＤ名を知ることができるので、このビーコンでＳＳＩＤを設定し、自動的に接続を行う。
【００２８】
ビーコンは自動設定のデータ部（要素ＩＤ、送信するコマンドの長さ、ＩＤ、フォーマットタイプなどの情報が含まれる）とアプリケーション部（デバイスタイプ、ＵＵＩＤ、サービス参照ＵＲＬ、デバイス名、ＩＰアドレスが含まれる）とを有している。本実施形態では、デジタルカメラ１０のサービス実行部３４のＵＵＩＤ転送部５０が、ＵＵＩＤ発生部４８で生成した当該デジタルカメラ１０自身を識別するユニークなＩＤコード（ＵＵＩＤ）を、デバイス検出用の情報として上記アプリケーション部に含めたビーコンを、無線ＬＡＮモジュール４２によりアンテナ２０より発信する。
【００２９】
図２は、このようなＩＥＥＥ８０２．１１シーケンスを利用した場合の、本実施形態に係る情報処理システムにおけるデジタルカメラ１０のサービス実行部３４及びキオスク端末１２のアプリケーションの無線ＬＡＮ接続確立動作のフローチャートを示す図である。
【００３０】
まず、デジタルカメラ１０から、ＩＥＥＥ８０２．１１シーケンスを利用してビーコンにネットワーク参加を開始するためのネットワーク参加情報を含めて発信する（ステップＳ１０）。（尚、ネットワーク参加情報は、接続問い合わせ信号とも称する。）
キオスク端末１２のアプリケーションは、そのビーコンを受信すると（ステップＳ２０）、ネットワーク参加を確認して、設定情報を返信する（ステップＳ２２）。即ち、受信したビーコンによりデバイス（デジタルカメラ１０）を検出して、ＵＵＩＤを検出して、ネットワークの接続が可能か否かを、そのＵＵＩＤの番号をサービス参照ＵＲＬで示される管理サーバ１４などに問い合わせるか、予め当該キオスク端末１２に接続許可として登録されているかを判断することで判別する。そして、接続許可であれば接続して、該キオスク端末１２のＩＰアドレス又はＵＲＬのアドレス情報としての外部端末ＵＵＩＤなどを設定情報として当該デジタルカメラ１０に転送する。
【００３１】
デジタルカメラ１０では、そのキオスク端末１２からの応答を受け付けて（ステップＳ１６）、データ情報を確認して、アドレス解決処理を実行する（ステップＳ１４）。
【００３２】
こうして無線ＬＡＮ接続が確立されたならば、デジタルカメラ１０とキオスク端末１２との間で既知の認証処理を実行した後、キオスク端末１２側では、通信を開始できる通信手順（例えば、発見、デバイス（デジタルカメラ１０）認識）を開始する。即ち、キオスク端末１２側からデジタルカメラ１０に対して上記既存の通信手順のデータ要求を送信する。そして、これ以降の通信は、ＰｎＰ（Ｐｌｕｇ  ａｎｄ  Ｐｌａｙ）手順などでキオスク端末１２の表示部（図示せず）にアイコン（以下、ＩＣＯＮと記す）を表示し、そのＩＣＯＮのクリック操作に応じて、キオスク端末１２は通信を開始する表示が行われる、というものである。
【００３３】
その後、デジタルカメラ１０がキオスク端末１２に対して既存のＵＰｎＰ（Ｕｎｉｖｅｒｓａｌ  ＰｎＰ）等の手順を起動することを指示し、キオスク端末１２がその指示に応じて、キオスク端末１２からＵＰｎＰ等の既知の通信手順を起動する。換言すれば、本実施形態は、既知のＵＰｎＰ等の通信手順の前に、デジタルカメラ１０が主導権をもって通信を開始する手順が加わることになる。このようにすれば、キオスク端末１２側からしか通信ができないという制約がある通信手順を、制約を逃れて利用することができる。
【００３４】
なお、無線ＬＡＮネットワークを経由してデジタルカメラ１０とキオスク端末１２間で通信をするにあたっては、自動的にデジタルカメラ１０とキオスク端末１２間で接続情報のデータ送信を行い、通信に必要な通信設定情報を設定する登録シーケンスを実行しておくことが必要である。即ち、この登録シーケンスでは、デジタルカメラ１０とキオスク端末１２とをＵＳＢケーブルにより接続する。そして、デジタルカメラ１０電源をＯＮして、キオスク端末１２を介した管理サーバ１４とのリンクを確認する。次に、機器名やアドレス等の無線接続に必要な情報を登録情報として、以降の設定が簡単に行えるようにデジタルカメラ１０とキオスク端末１２及び／または管理サーバ１４のフォルダに格納する。最後に、デジタルカメラ１０とキオスク端末１２との接続を解放し、両者の設定が完了する。
【００３５】
上記登録シーケンスが完了した後は、デジタルカメラ１０から、無線ＬＡＮネットワークを経由して、キオスク端末１２との通信を起動する起動ステップ（ＨＴＴＰ（Ｈｙｐｅｒｔｅｘｔ  ｔｒａｎｓｆｅｒ  ｐｒｏｔｏｃｏｌ）による通信プロセスの部分）と、デジタルカメラ１０から、無線ＬＡＮネットワークを経由して、キオスク端末１２と通信を行う通信ステップ（ＵＰｎＰ仕様に基づく通信プロセスの部分）と、を順に実行する。これは、上記登録シーケンスを行った後であれば、何時でも実行することができる。
【００３６】
図３は、これら起動ステップ及び通信ステップを含む接続シーケンスの通信プロセスを示す図である。
【００３７】
まず、起動ステップにおいては、上記図２を参照して説明したように、ＩＥＥＥ８０２．１１シーケンスを利用した無線ＬＡＮ接続確立動作が実施される。そして、無線ＬＡＮ接続が確立されたならば、デジタルカメラ１０から認証データをキオスク端末１２に送信して、キオスク端末１２で認証確認が行われる。
【００３８】
そして、デジタルカメラ１０のサービス実行部３４は自身が所持しているアプリケーションを起動してキオスク端末１２に接続要求を送信する。キオスク端末１２内のアプリケーションはこれを受信して応答メッセージをデジタルカメラ１０に返信する。デジタルカメラ１０は所定のアプリケーションを起動する旨の要求をキオスク端末１２に送信するとともに、データ送信の準備をする。キオスク端末１２内のアプリケーションはこの要求を受けて当該アプリケーションを起動する。そして、キオスク端末１２の表示部にＩＣＯＮ表示や警告音を発生させることで、デジタルカメラ１０がネットワークに参加したことをユーザに告知する。ここで、ユーザがキオスク端末１２の上記ＩＣＯＮをクリック操作（ここでユーザは始めてクリック操作する）することで、キオスク端末１２からデジタルカメラ１０側にサービス開始通知を行う。即ち、サービス問い合わせ信号を送信する。すると、デジタルカメラ１０では、キオスク端末１２に開始確認、即ちサービス接続許可情報を送信すると共に、ＬＥＤ３８などのデジタルカメラ１０本体に取り付けされている表示や、スピーカ２６による告知音でサービス開始したことをユーザに告知する。
【００３９】
次に、ＵＰｎＰ仕様に基づく通信プロセスが実行される。即ち、キオスク端末１２のアプリケーションは、デジタルカメラ１０に対して、例えば記憶媒体２２に記憶されている写真画像の画像ファイルの内、予め設定されている所定の条件（ファイル情報（更新時間や作成時間、アクセス時間、ファイル名）や画像ファイルのヘッダに含まれている属性情報（画像サイズ、撮影情報、サムネイル画像、等）に合致する画像ファイルのファイル情報と、その画像ファイルのヘッダに含まれているサムネイル画像データとを順次転送する転送要求を行う。デジタルカメラ１０はこの転送要求を受けて、上記所定の条件に合致するデータをＵＵＩＤを付加してキオスク端末１２に送信し、キオスク端末１２は、当該データを受信する。なお、このデータ送信中は、そのことをユーザに告知するために、キオスク端末１２では表示された上記ＩＣＯＮを点滅させ、また、デジタルカメラ１０ではＬＥＤ３８を点滅させたり、スピーカ２６よりデータ送信中を示す告知音を発したりする。
【００４０】
そして、データ送信が終了したならば、キオスク端末１２では上記ＩＣＯＮを点灯表示に戻し、また、デジタルカメラ１０ではＬＥＤ３８を点灯させたり、スピーカよりデータ送信終了に応じた告知音を出すことで、データ送信が終了したことをユーザに告知する。その後、デジタルカメラ１０からサービス終了を要求する終了要求イベントをキオスク端末１２に送信すると、キオスク端末１２のアプリケーションは、そのイベントを受け付けた応答を返す。この応答を受けてデジタルカメラ１０は切断メッセージをキオスク端末１２に送信する。キオスク端末１２は、その切断メッセージにより、サービスを終了する。なおこのとき、キオスク端末１２ではサービス終了表示として上記ＩＣＯＮを消灯し、また、デジタルカメラ１０ではＬＥＤ３８を消灯させたり、スピーカ２６よりサービス終了を示す告知音を発することで、サービス終了したことをユーザに告知する。
【００４１】
なおこのとき、デジタルカメラ１０の電源が自動的にオフされるようにしても良い。即ち、上記した方法は、デジタルカメラ１０とキオスク端末１２間で通信設定をし、通信開始時にキオスク端末１２側で必要とされる処理量だけデータを転送するもので、デジタルカメラ１０からキオスク端末１２との通信を起動するので、デジタルカメラ１０は、キオスク端末１２と通信を行うときに限って電源をＯＮし、それ以外は電源をＯＦＦすることができる。
【００４２】
そして、ユーザは、キオスク端末１２に送信されたサムネイル画像により印刷や管理サーバ１４への保管を望む写真画像データを検索した後、再びデジタルカメラ１０の電源をＯＮにして、上記のようにして無線ＬＡＮ通信を確立した上で、キオスク端末１２を操作してその画像データをＵＵＩＤを付加してデジタルカメラ１０からキオスク端末１２に転送して、確認の上、管理サーバ１４への保管や、当該キオスク端末１２に接続された印刷機器または管理サーバ１４が提供するプリントサービスによる印刷、等を実施することができる。
【００４３】
以上のようにして、本第１実施形態によれば、デジタルカメラ１０がキオスク端末１２のサービスエリア内に入ったときに自動検出して、デジタルカメラ１０とキオスク端末１２とが無線で接続されるので、頻繁に接続先のキオスク端末１２を変わる場合でも簡単に接続先を切り替えて接続でき、所定の条件に合致した画像データを素早く閲覧すると同時に情報の登録やダウンロードを同時に行うことが可能となる。
【００４４】
従って、頻繁に接続先（相手）が変わる場合に簡単に接続先を切り替えて接続できるデジタルカメラ１０を利用して、自宅近傍、勤務先近傍、旅行先等の各地の店舗等に設置されているキオスク端末１２で、利用者のデジタルカメラ１０が容易に簡単ですばやく検出、認証を行うことができる。
【００４５】
更に、頻繁に接続先（相手）が変わる場合に簡単に接続先を切り替えて接続できるデジタルカメラ１０を利用して、店舗等に設置されているキオスク端末１２で所定の条件に合致したサムネイルを表示しながら、利用者が印刷や管理サーバ１４への保管を希望する所望画像データを見つけだし、画像を確認した上で所望の動作を実行することができる。
【００４６】
また、検索途中でも、検出されている写真画像データを印刷機器ヘサーバ１４を介さずダイレクトにデータ転送して、注文できる。
【００４７】
［第２実施形態］
本発明の第２実施形態に係る情報処理システムは、ＩＥＥＥ８０２．１１シーケンスを利用しない場合である。
【００４８】
図４は、この場合におけるデジタルカメラ１０のサービス実行部３４及びキオスク端末１２のアプリケーションの無線ＬＡＮ接続確立動作のフローチャートを示す図である。
【００４９】
まず、デジタルカメラ１０からキオスク端末１２に対して、ネットワーク参加を開始するためのネットワーク参加情報を転送する（ステップＳ３０）。
【００５０】
キオスク端末１２のアプリケーションは、そのネットワーク参加情報を受信すると（ステップＳ４０）、ネットワーク参加確認処理を実行して、当該デジタルカメラ１０に参加許可の信号を応答する（ステップＳ４２）。
【００５１】
デジタルカメラ１０は、この参加許可応答を受信すると（ステップＳ３２）、当該デジタルカメラ１０自身のアドレスをキオスク端末１２に送信する。キオスク端末１２では、そのアドレスを受信してアドレス解決を行い、認証データ要求をデジタルカメラ１０に送信する。デジタルカメラ１０では、その認証データ要求の受信に応じて、当該デジタルカメラ１０自身を識別するユニークなＵＵＩＤをＵＵＩＤ発生部４８で自動的に生成し、認証データと共にキオスク端末１２に送信する（ステップＳ３４）。
【００５２】
キオスク端末１２では、そのＵＵＩＤ、認証データを受信すると（ステップＳ４４）、そのＵＵＩＤを認識して、アドレス解決処理を実行した後、該キオスク端末１２のアドレス情報及びユニークな外部端末ＵＵＩＤをキオスク端末１２に送信する。このとき、デジタルカメラ１０がネットワークに参加したことを、キオスク端末１２側の表示部にＩＣＯＮ表示や警告音を発生させることで、ユーザに告知する。
【００５３】
ここで、ユーザがキオスク端末１２の上記ＩＣＯＮをクリック操作（ここでユーザは始めてクリック操作する）することで、キオスク端末１２からデジタルカメラ１０側にサービス開始通知を行う（ステップＳ４６）。
【００５４】
そして、上記第１実施形態で説明したようなＵＰｎＰ仕様に基づく通信プロセスが実行されることになる。即ち、デジタルカメラ１０では、上述した第１実施形態で説明したようなデータ情報の送信処理を実行し（ステップＳ３８）、キオスク端末１２では、上記第１実施形態で説明したようなデータ情報の受信処理を実行していく（ステップＳ４８）。
【００５５】
従って、本第２実施形態においても、上記第１実施形態と同様の効果を奏することができる。
【００５６】
［第３実施形態］
本発明の第３実施形態は、情報端末装置としてのデジタルカメラ１０が、クライアント端末としてのキオスク端末１２を介して、インターネット上の管理サーバ１４にアクセスをして、ネットワークの参加を確認、サービスヘの接続を行う例である。
【００５７】
図５は、本実施形態に係る情報処理システムでの登録シーケンスの通信プロセスを示す図である。
【００５８】
即ち、起動ステップにおいては、デジタルカメラ１０は、キオスク端末１２に対して、ネットワーク参加を開始するためのネットワーク参加情報を送信する。ここで、デジタルカメラ１０は、外部から接続できる管理サーバ１４のＩＰアドレス（ＷＡＮアドレス）を予め記憶しており、ネットワーク参加情報にそのＩＰアドレス又はＵＲＬを含めて送信する。キオスク端末１２のアプリケーションは、そのネットワーク参加情報を受信すると、それを上記ＩＰアドレス又はＵＲＬで示される管理サーバ１４に転送する。管理サーバ１４は、ネットワーク参加確認処理を実行して、参加許可の信号を応答する。キオスク端末１２では、この参加許可の応答をデジタルカメラ１０に転送する。
【００５９】
デジタルカメラ１０は、この参加許可応答を受信すると、当該デジタルカメラ１０自身のアドレスをキオスク端末１２に送信する。キオスク端末１２では、そのアドレスを管理サーバ１４に転送する。管理サーバ１４は、転送されてきたアドレスに基づいてアドレス解決を行い、認証データ要求をキオスク端末１２に送信する。キオスク端末１２は、この認証要求をデジタルカメラ１０に転送する。
【００６０】
デジタルカメラ１０では、その認証データ要求の受信に応じて、当該デジタルカメラ１０自身を識別するユニークなＵＵＩＤをＵＵＩＤ発生部４８で自動的に生成し、認証データと共にキオスク端末１２に送信する。キオスク端末１２は、受信した認証データと共にデジタルカメラ１０の認証検索要求を管理サーバ１４に送信する。管理サーバ１４は、その認証データでデジタルカメラ１０の認証を行い、その認証結果をキオスク端末１２に返す。キオスク端末１２では、認証結果として許可が送られてきた場合、更に、上記デジタルカメラ１０から送信されてきた上記ＵＵＩＤを管理サーバ１４に転送することで、デジタルカメラ１０の登録確認を要請する。管理サーバ１４は、そのＵＵＩＤにより予め登録されているＵＵＩＤを検索することでデジタルカメラ１０の登録確認を行い、その結果をキオスク端末１２に転送する。キオスク端末１２は、その当該デジタルカメラ１０が未登録であった場合には、登録を要求する認証確認情報をデジタルカメラ１０に送信する。
【００６１】
デジタルカメラ１０は、その認証確認情報を受信すると、表示機ＬＣＤ４４に登録画面を表示する。このとき、ユーザに注意を促すために、スピーカ２６より告知音を発するようにしても良い。そして、操作部３６のユーザ操作によるログインＩＤ及びパスワードの入力を受けて、そのログインＩＤ及びパスワードをキオスク端末１２に送信する。キオスク端末１２では、そのログインＩＤ及びパスワードをサービス登録要求として上記管理サーバ１４に転送する。管理サーバ１４では、そのログインＩＤ及びパスワードを、上記登録確認時に送られてきたＵＵＩＤに対応付けて登録する。そして、その作業完了後、サービス登録確認をキオスク端末１２に返信する。キオスク端末１２では、そのサービス登録確認を受けて、図示しない表示部に登録完了表示を行う。
【００６２】
ここで、ユーザがそのキオスク端末１２の表示部に表示された登録情報を確認し、該キオスク端末１２を操作してＯＫを指示すると、キオスク端末１２からデジタルカメラ１０に確認情報が送信される。デジタルカメラ１０は、その確認情報を受信すると、終了要求イベントをキオスク端末１２に送信する。キオスク端末１２では、その終了要求イベントを管理サーバ１４に転送し、管理サーバ１４は、その終了要求イベントを受けると、そのイベントを受け付けた応答をキオスク端末１２に返す。キオスク端末１２は、このイベント応答をデジタルカメラ１０に転送する。デジタルカメラ１０は、このイベント応答を受けて、切断メッセージをキオスク端末１２に送信する。キオスク端末１２は、その切断メッセージを管理サーバ１４に転送すると共に、接続を開放する。管理サーバ１４においても、その切断メッセージの受信により、登録動作を終了する。なおこのとき、キオスク端末１２では接続終了表示を行い、また、デジタルカメラ１０ではＬＥＤ３８を消灯させたり、スピーカ２６より接続終了を示す告知音を発することで、接続が開放されたことをユーザに告知する。更に、デジタルカメラ１０においては、電源が自動的にオフされるようにしても良い。
【００６３】
図６Ａ及び図６Ｂは、本実施形態に係る情報処理システムの起動ステップ及び通信ステップを含む接続シーケンスの通信プロセスを示す図である。
【００６４】
まず、起動ステップにおいては、デジタルカメラ１０からキオスク端末１２に対して、ネットワーク参加を開始するためのネットワーク参加情報を転送する。キオスク端末１２のアプリケーションは、そのネットワーク参加情報を受信すると、ネットワーク参加確認処理を実行して、当該デジタルカメラ１０に参加許可の信号を応答する。デジタルカメラ１０は、この参加許可応答を受信すると、当該デジタルカメラ１０自身のアドレスをキオスク端末１２に送信する。キオスク端末１２では、そのアドレスを受信してアドレス解決を行い、認証データ要求をデジタルカメラ１０に送信する。デジタルカメラ１０では、その認証データ要求の受信に応じて、当該デジタルカメラ１０自身を識別するユニークなＵＵＩＤをＵＵＩＤ発生部４８で自動的に生成し、認証データと共にキオスク端末１２に送信する。
【００６５】
キオスク端末１２は、受信した認証データと共にデジタルカメラ１０の認証検索要求を管理サーバ１４に送信する。管理サーバ１４は、その認証データでデジタルカメラ１０の認証を行い、その認証結果をキオスク端末１２に返す。キオスク端末１２では、認証結果として許可が送られてきた場合、更に、上記デジタルカメラ１０から送信されてきた上記ＵＵＩＤを管理サーバ１４に転送することで、デジタルカメラ１０の登録確認を要請する。管理サーバ１４は、そのＵＵＩＤにより予め登録されているＵＵＩＤを検索することでデジタルカメラ１０の登録確認を行い、その結果をキオスク端末１２に転送する。キオスク端末１２は、その当該デジタルカメラ１０が登録済みであった場合には、認証ＯＫであったことを示す認証確認情報をデジタルカメラ１０に送信する。
【００６６】
デジタルカメラ１０は、その認証確認情報を受信すると、表示機ＬＣＤ４４にＩＣＯＮを表示する。このとき、ユーザに注意を促すために、スピーカ２６より告知音を発するようにしても良い。そして、操作部３６のユーザ操作によるパスワードの入力を受けて、ログインＩＤ及びパスワードをキオスク端末１２に送信する。キオスク端末１２では、そのログインＩＤ及びパスワードを含むサービス、課金確認要求を上記管理サーバ１４に転送する。管理サーバ１４では、そのログインＩＤ及びパスワードを、上記デジタルカメラ１０の登録確認時に送られてきたＵＵＩＤに対応付けて予め登録されているログインＩＤ及びパスワードと比較して、両者が一致すれば、その旨のサービス、課金確認情報をキオスク端末１２に返信する。キオスク端末１２では、その確認情報を受けて、図示しない表示部に広告を表示する。そして、その広告の表示が終了したならば、サービス開始表示を行い、認証が完了したことを示す課金確認情報をデジタルカメラ１０に送信する。なお、広告としては、キオスク端末１２が存在する地域のマップ情報やお買い物情報、ニュースなどの情報等が考えられる。
【００６７】
ユーザは、キオスク端末１２の上記サービス開始表示を確認すると、操作部３６を操作して、表示機ＬＣＤ４４の表示を見ながら、記憶媒体２２に保存された写真画像の中から所望の写真画像を選択し、印刷を指示する。
【００６８】
これにより、通信プロセスが開始される。即ち、デジタルカメラ１０から印刷要求（又は予約）イベントがキオスク端末１２に送信される。キオスク端末１２は、その印刷要求イベントの受信に応じて、印刷データを要求するイベント応答をデジタルカメラ１０に送信する。デジタルカメラ１０は、そのイベント応答の受信に応じて、サービス開始要求をキオスク端末１２に送信する。キオスク端末１２では、そのサービス開始要求の受信に応じて、管理サーバ１４にデジタルカメラ１０の認証検索要求を送信する。管理サーバ１４では、その認証検索要求の受信に応じてデジタルカメラ１０の認証を行い、その認証結果をキオスク端末１２に返す。キオスク端末１２では、認証結果として許可が送られてきた場合には、更に、上記デジタルカメラ１０のＵＵＩＤを管理サーバ１４に転送することで、デジタルカメラ１０の登録確認を要請する。管理サーバ１４は、そのＵＵＩＤにより予め登録されているＵＵＩＤを検索することでデジタルカメラ１０の登録確認を行い、その結果をキオスク端末１２に転送する。キオスク端末１２は、その当該デジタルカメラ１０が登録済みであった場合には、認証ＯＫであったことを示す認証確認情報をデジタルカメラ１０に送信する。
【００６９】
デジタルカメラ１０は、その認証確認情報を受信すると、先に入力されているログインＩＤ及びパスワードをキオスク端末１２に送信する。キオスク端末１２では、そのログインＩＤ及びパスワード、及び広告表示が終了していることを示す課金情報を含むサービス、課金確認要求を上記管理サーバ１４に転送する。管理サーバ１４では、その課金確認要求の受信に応じて、ログインＩＤ及びパスワードで確認の上、当該デジタルカメラ１０のＵＵＩＤに対応する課金情報を更新して、サービス、課金確認情報をキオスク端末１２に返信する。キオスク端末１２では、その確認情報を受けて、課金処理が完了したことを示す課金確認情報をデジタルカメラ１０に送信する。
【００７０】
デジタルカメラ１０では、その課金確認情報の受信に応じて、表示機ＬＣＤ４４にサービスに接続したことを示す確認表示を行う。このとき、ユーザに注意を促すために、スピーカ２６より告知音を発するようにしても良い。そして、上記選択されている写真画像データを転送するために、まず、デジタルカメラ１０から画像転送（又は予約）イベントがキオスク端末１２に送信される。キオスク端末１２は、その画像転送イベントの受信に応じて、そのイベントを受け付けたことを示すイベント応答をデジタルカメラ１０に送信する。デジタルカメラ１０は、そのイベント応答の受信に応じて、上記選択された写真画像の画像データを上記ＵＵＩＤを付加してキオスク端末１２に送信する。キオスク端末１２では、その画像データの受信に応じて、表示部に印刷（又は予約）確認の表示を行う。
【００７１】
そして、ユーザがこの確認表示を確認した上で、キオスク端末１２の図示しない操作部を操作して印刷（又は予約）を指示することで、該キオスク端末１２に接続された印刷機器または管理サーバ１４が提供するプリントサービスによる印刷（又はその予約）を実施することができる。
【００７２】
その後、ユーザがデジタルカメラ１０の操作部３６の操作により終了を指示すると、デジタルカメラ１０は、終了要求イベントをキオスク端末１２に送信する。キオスク端末１２では、その終了要求イベントを管理サーバ１４に転送し、管理サーバ１４は、その終了要求イベントを受けると、そのイベントを受け付けた応答をキオスク端末１２に返す。キオスク端末１２は、このイベント応答をデジタルカメラ１０に転送する。デジタルカメラ１０は、このイベント応答を受けて、切断メッセージをキオスク端末１２に送信する。キオスク端末１２は、その切断メッセージを管理サーバ１４に転送すると共に、接続を開放する。管理サーバ１４においても、その切断メッセージの受信により、サービスを終了する。なおこのとき、キオスク端末１２では接続終了表示を行い、また、デジタルカメラ１０ではＬＥＤ３８や表示機ＬＣＤ４４で終了表示を行ったり、スピーカ２６より接続終了を示す告知音を発することで、接続が開放されたことをユーザに告知する。更に、デジタルカメラ１０においては、電源が自動的にオフされるようにしても良い。
【００７３】
なお、ここでは、印刷を例に説明したが、管理サーバ１４での写真画像等のコンテンツデータの一時保管サービスにおいても同様である。
【００７４】
なお、このように、本実施形態では、インターネット等のネットワークを使用して管理サーバ１４にアクセスする際のネットワークの利用料金を、キオスク端末１２に広告を表示することによって軽減乃至は無料とする。勿論、広告を表示しないで、デジタルカメラ１０に予め登録されているインターネットプロバイダサービス（ＩＰＳ）経由でサービスの利用の代金などの課金のための認証後、プリントサービスや写真画像の一時保管サービスなどが利用できるようにしても構わない。ユーザがそれら接続方法を選択できるようにしてもよい。
【００７５】
［第４実施形態］
図７は、本実施形態に係る情報処理システムによる動作の概要を示す図である。
【００７６】
即ち、デジタルカメラ１０は、無線又は有線でネットワークに接続でき、キオスク端末１２は、その無線通信エリア内でデジタルカメラ１０がネットワークに参加していることを自動的に検出して、当該デジタルカメラ１０のＵＵＩＤを取得することができる。
【００７７】
このＵＵＩＤを検出して管理サーバ１４に課金の処理や利用できる無線のインフラなどの情報をもとにサービスの提供をキオスク端末１２側で判断することができる。例えば、ネットワーク参加するためのインターネットサービスプロバイダとの契約が行われていて、サービス利用による請求先の確認、認証をデジタルカメラ１０からメタデータによるデバイス情報を送信して、接続されたことをキオスク端末１２側で管理サーバ１４に問い合わせを行うことで、デジタルカメラ１０を認証する。デジタルカメラ１０はこのときメタデータに所定の特殊番号と暗号化されたパスワード、ログインＩＤ、名前やＵＵＩＤなどを転送して、設定され、以降、デジタルカメラ１０の自動認識や条件のデータなどの転送を行うときに利用される。尚、このとき、メタデータは暗号化されて転送される。また、ログインＩＤとＵＵＩＤの関係をキオスク端末１２側で認識できるようになる。
【００７８】
特に、キオスク端末１２は、その無線通信エリア内で新しい機器（デジタルカメラ１０）が接続されたことを検出して、キオスク端末１２及びその検出されたデジタルカメラ１０それぞれで検出されたことの表示を行うときに、上記のやり取りを行い、そのデジタルカメラ１０との間でサービスが利用できる状況であれば、利用可能なアイコン表示を行うことができる。そして、そのデジタルカメラ１０が自動でパスワードを入力するものであれば、そのアイコンの表示をクリック操作するなどすることで、サービスに入るのを許可することができる。
【００７９】
サービスが受付けられたデジタルカメラ１０側では、キオスク端末１２から送られてくるメタデータ内にあるキオスク端末１２を識別するための所定の特殊番号（例えば外部端末ＵＵＩＤ）と暗号化されたログインＩＤ、パスワードを確認して、自動的にサービスに一時的に入ることができる（上述した管理サーバ１４ヘの検索、認証を行って、サービスに接続できる時間制限、回数制限等のリミットを設けこともキオスク端末１２側で設定が可能にする）。
【００８０】
上述した管理サーバ１４ヘの検索及び認証後、デジタルカメラ１０がサービスに入ると、記憶媒体２２に保存されている写真画像の画像ファイルの内、ＵＵＩＤや予め設定されている所定の条件（ファイル情報（更新時間や作成時間、アクセス時間、ファイル名）や画像ファイルのヘッダに含まれている属性情報（画像サイズ、撮影情報、サムネイル画像、等）に合致する画像ファイルのファイル情報と、その画像ファイルのヘッダに含まれているサムネイル画像データとを順次取得して、キオスク端末１２の表示部にサムネイル画面を表示する。
【００８１】
データ転送中、又は転送後に検索されたサムネイル画像が選択されると、そのサムネイル画像に対応する画像ファイルの画像データがネットワーク上の所定のプリンタへ転送される。この画像ファイルの画像データ転送中は、その画像データの送信が優先される。
【００８２】
画像データが転送先のプリンタに受け付けられると、プリント完了又は完了予定日時をデジタルカメラ１０側に転送する。このとき、ユーザのデジタルカメラ１０の指定で、配送先などが暗号化され注文を受け付けた管理サーバ１４に転送される。また、来歴も転送される。なお、画像データは直接プリンタに転送され、管理サーバ１４にデータが配信されずかつデータを管理サーバ１４に残さないようにすることが好ましい。
【００８３】
上記の印刷指定を行うときなど広告情報が同時に転送され、一部の情報を無料で閲覧することができる。また、利用者は写真画像の登録などの情報交換をできるが、デフォルトでは拒否の指定にしておくことが望ましい。
【００８４】
上記の印刷指定を行うときなど広告情報のバーナをクリックすると、キオスク端末１２からデジタルカメラ１０に広告情報や注文情報などがダウンロードされ、ＵＵＩＤ、ログインＩＤ、パスワードなどの所定のデータが期間限定で付与されるようにしても良い。
【００８５】
一連の操作、課金、プリント情報はすべてデジタルカメラ１０側に転送させるが、バックアップ情報はネットワーク上の管理サーバ１４にも暗号化されて転送される。
【００８６】
この動作が終了して、管理サーバ１４からログオフされると、一連のサービスの許可、広告の注文のＵＵＩＤ、ログインＩＤ、パスワード等は消去されるが、一連の操作、課金、プリント情報のみは携帯電話、ＰＣ、デジタルカメラ１０等から内容を閲覧できるようにしておくことが望ましい（ブログ記録）。
【００８７】
以上実施形態に基づいて本発明を説明したが、本発明は上述した実施形態に限定されるものではなく、本発明の要旨の範囲内で種々の変形や応用が可能なことは勿論である。
【００８８】
例えば、情報端末装置としてデジタルカメラ１０を例に説明したが、写真画像や音楽等のコンテンツデータを多数保存するための大容量記憶媒体を内蔵したポータブルコンテンツ再生装置、ＰＤＡ、携帯電話機、等、他の携帯機器であっても構わない。同様に、外部端末装置及びクライアント端末としてキオスク端末１２を例に説明したが、クライアントＰＣ等、他の機器であっても良い。
【図面の簡単な説明】
【００８９】
【図１】図１（Ａ）は、本発明の第１実施形態に係る情報処理システムの構成を示す図であり、図１（Ｂ）は、本発明の第１実施形態に係る情報端末装置としてのデジタルカメラの構成を示す図である。
【図２】図２は、ＩＥＥＥ８０２．１１シーケンスを利用した場合のデジタルカメラ及びキオスク端末の無線ＬＡＮ接続確立動作のフローチャートを示す図である。
【図３】図３は、起動ステップ及び通信ステップを含む接続シーケンスの通信プロセスを示す図である。
【図４】図４は、ＩＥＥＥ８０２．１１シーケンスを利用しない場合の、本発明の第２実施形態に係る情報処理システムにおけるデジタルカメラ及びキオスク端末の無線ＬＡＮ接続確立動作のフローチャートを示す図である。
【図５】図５は、本発明の第３実施形態に係る情報処理システムでの登録シーケンスの通信プロセスを示す図である。
【図６Ａ】図６Ａは、第３実施形態に係る情報処理システムの起動ステップ及び通信ステップを含む接続シーケンスの通信プロセスの第１の部分を示す図である。
【図６Ｂ】図６Ｂは、第３実施形態に係る情報処理システムの起動ステップ及び通信ステップを含む接続シーケンスの通信プロセスの第２の部分を示す図である。
【図７】図７は、本発明の第４実施形態に係る情報処理システムによる動作の概要を示す図である。
【符号の説明】
【００９０】
１０…デジタルカメラ、  １２…キオスク端末、  １４…管理サーバ、  １６…カメラ機能部、  １８…情報端末部、  ２０…アンテナ、  ２２…記憶媒体、  ２４…デジタル／アナログ変換機、  ２６…スピーカ、  ２８…ＬＡＮコネクタ、  ３０…撮像モジュール、  ３２…画像エンジンＬＳＩ、  ３４…サービス実行部、  ３６…操作部、  ３８…ＬＥＤ、  ４０…ＩｒＤＡ、  ４２…ＬＡＮモジュール、  ４４…表示機ＬＣＤ、  ４８…ＵＵＩＤ発生部、  ５０…ＵＵＩＤ転送部、  ５２…利用可能状態検出部。
【図１】
2008085393.tif 000003
【図２】
2008085393.tif 000004
【図３】
2008085393.tif 000005
【図４】
2008085393.tif 000006
【図５】
2008085393.tif 000007
【図６Ａ】
2008085393.tif 000008
【図６Ｂ】
2008085393.tif 000009
【図７】
2008085393.tif 000010